(57)【要約】【課題】  銀行商品小売システムの顧客情報を秘匿しつつ、金融商品の契約及び取引管理並びにマーケティングデータの提供を行う仲介システムを実現する。【解決手段】  金融商品を提供する銀行商品製造システムと前記金融商品の販売を行う銀行商品小売システムとの間の処理を仲介する金融商品仲介方法であって、銀行商品小売システムで販売した金融商品の契約情報と、その金融商品を販売した銀行を示す銀行情報と、その金融商品を購入した顧客の顧客情報を識別する為の顧客情報識別子とを通信装置により銀行商品小売システムから受信するステップと、前記受信した銀行情報及び顧客情報識別子を識別する為のファイナンストレードＩＤを生成して前記銀行情報及び顧客情報識別子と対応付けて記憶装置内に格納するステップと、前記生成したファイナンストレードＩＤと金融商品の契約情報を通信装置により銀行商品製造システムに送信して当該金融商品で用いられる銀行口座の開設を銀行商品製造システムに指示するステップとを有するものである。【選択図】図１
2007052538.tif 000002
【特許請求の範囲】
【請求項１】
金融商品を提供する銀行商品製造システムと前記金融商品の販売を行う銀行商品小売システムとの間の処理を仲介する金融商品仲介方法であって、
銀行商品小売システムで販売した金融商品の契約情報と、その金融商品を販売した銀行を示す銀行情報と、その金融商品を購入した顧客の顧客情報を識別する為の顧客情報識別子とを通信装置により銀行商品小売システムから受信するステップと、
前記受信した銀行情報及び顧客情報識別子を識別する為のファイナンストレードＩＤを生成して前記銀行情報及び顧客情報識別子と対応付けて記憶装置内に格納するステップと、
前記生成したファイナンストレードＩＤと金融商品の契約情報を通信装置により銀行商品製造システムに送信して当該金融商品で用いられる銀行口座の開設を銀行商品製造システムに指示するステップとを有することを特徴とする金融商品仲介方法。
【請求項２】
前記金融商品における取引情報、銀行情報及び顧客情報識別子を通信装置により銀行商品小売システムから受信するステップと、前記受信した銀行情報及び顧客情報識別子に対応するファイナンストレードＩＤを前記記憶装置から取得するステップと、前記取得したファイナンストレードＩＤと金融商品の取引情報を通信装置により銀行商品製造システムに送信して当該金融商品における取引処理を銀行商品製造システムに指示するステップとを有することを特徴とする請求項１に記載された金融商品仲介方法。
【請求項３】
マーケティングデータを作成する為の分析ロジック情報とその分析ロジック情報を送信した銀行を示す銀行情報を通信装置により銀行商品製造システムから受信し、その受信した銀行情報に対応付けて前記分析ロジック情報を記憶装置に格納することを特徴とする請求項１または請求項２のいずれかに記載された金融商品仲介方法。
【請求項４】
前記分析ロジック情報の参照要求とその参照要求を送信した銀行の銀行情報を通信装置により銀行商品製造システムから受信し、前記銀行情報に対応付けられた分析ロジック情報を記憶装置から読み出して通信装置により銀行商品製造システムへ送信することを特徴とする請求項３に記載された金融商品仲介方法。
【請求項５】
金融商品を販売した銀行の銀行情報及びその金融情報を購入した顧客の顧客情報並びにその顧客情報の顧客情報識別子を通信装置により銀行商品小売システムから受信し、当該金融商品の契約情報及び取引情報並びにファイナンストレードＩＤを通信装置により銀行商品製造システムから受信し、前記銀行商品小売システムから受信した顧客情報と前記銀行商品製造システムから受信した契約情報及び取引情報とを、前記銀行情報及び顧客情報識別子に対応するファイナンストレードＩＤの情報により対応付けて記憶装置に格納し、その対応付けた顧客情報と契約情報及び取引情報によりマーケティングデータの作成を行うことを特徴とする請求項３または請求項４のいずれかに記載された金融商品仲介方法。
【請求項６】
前記対応付けた顧客情報と契約情報及び取引情報とを前記銀行商品製造システムの銀行情報で識別される分析ロジック情報に従って集計してマーケティングデータを作成し、その作成したマーケティングデータを前記銀行情報で識別される銀行商品製造システムへ通信装置により送信することを特徴とする請求項５に記載された金融商品仲介方法。
【請求項７】
前記作成したマーケティングデータを識別する為のマーケティングデータＩＤを生成し、その生成したマーケティングデータＩＤと当該マーケティングデータの作成の際に用いた顧客情報を送信した銀行の銀行情報とを対応付けて記憶装置に格納することを特徴とする請求項６に記載された金融商品仲介方法。
【請求項８】
前記作成したマーケティングデータにより得られたマーケティングデータ分析結果及び商品情報を、前記マーケティングデータＩＤに対応する銀行情報の銀行へ通信装置により送信することを特徴とする請求項７に記載された金融商品仲介方法。
【請求項９】
金融商品を提供する銀行商品製造システムと前記金融商品の販売を行う銀行商品小売システムとの間の処理を仲介するファイナンストレード装置であって、
銀行商品小売システムで販売した金融商品の契約情報と、その金融商品を販売した銀行を示す銀行情報と、その金融商品を購入した顧客の顧客情報を識別する為の顧客情報識別子とを通信装置により銀行商品小売システムから受信する銀行商品小売モジュールと、
前記受信した銀行情報及び顧客情報識別子を識別する為のファイナンストレードＩＤを生成して前記銀行情報及び顧客情報識別子と対応付けて記憶装置内に格納するファイナンストレードＩＤ管理処理部と、
前記生成したファイナンストレードＩＤと金融商品の契約情報を通信装置により銀行商品製造システムに送信して当該金融商品で用いられる銀行口座の開設を銀行商品製造システムに指示する銀行商品製造モジュールとを備えることを特徴とするファイナンストレード装置。
【請求項１０】
金融商品を提供する銀行商品製造システムと前記金融商品の販売を行う銀行商品小売システムとの間の処理を仲介する金融商品仲介方法をコンピュータに実行させる為のプログラムであって、
銀行商品小売システムで販売した金融商品の契約情報と、その金融商品を販売した銀行を示す銀行情報と、その金融商品を購入した顧客の顧客情報を識別する為の顧客情報識別子とを通信装置により銀行商品小売システムから受信するステップと、
前記受信した銀行情報及び顧客情報識別子を識別する為のファイナンストレードＩＤを生成して前記銀行情報及び顧客情報識別子と対応付けて記憶装置内に格納するステップと、
前記生成したファイナンストレードＩＤと金融商品の契約情報を通信装置により銀行商品製造システムに送信して当該金融商品で用いられる銀行口座の開設を銀行商品製造システムに指示するステップとをコンピュータに実行させることを特徴とするプログラム。
【発明の詳細な説明】
【技術分野】
【０００１】
本発明は銀行間の金融商品の契約、取引管理及びマーケティングデータの提供において仲介を行う金融商品仲介技術に関し、特に銀行の顧客情報を秘匿しつつ、各種処理をコンピュータを用いて実行することを可能にした金融商品仲介技術に適用して有効な技術に関するものである。
【背景技術】
【０００２】
地域金融機関を取り巻く経営環境は、地域の根強い基盤を持つものの、特色のあるサービスを武器に参入してきた外資系や異業種、ネットバンクによって、その基盤も脅かされつつあり、対策として大手銀行並みの新商品・サービスを充実させていかなければならない状況にある。しかし、現在の地域金融機関には新規の商品・サービスの開発また管理するシステムを構築、またシステムの運用・維持を行う体力はなく、新規の商品・サービスの開発を都銀等に外部委託してコストを抑えたいと考えている。
【０００３】
また、地域金融機関は、地域金融機関の情報を生かした金融商品の小売業を得意とし、これをコアコンピタンスとして経営資源を集中したいと考えている。前記状況は、金融商品（商品・サービス及び商品・サービスを管理するシステムの運用・維持）の小売側と製造側の二つに銀行が二分化されることを意味しており、新たなビジネスモデル（金融業の流通業化）が構築されるはずである。前記ビジネスモデルで問題となるのが、金融商品の小売側から製造側へ顧客情報が渡されることである。顧客情報を製造側へ渡さない様にする技術としては、特許文献１等に記載された技術が知られている。前記技術は、銀行の形態を用いて、商品の売買に関して購入者と販売者の情報を匿名にした匿名決済方法である。
【０００４】
【特許文献１】特開２００４−１０２５２７号公報
【発明の開示】
【発明が解決しようとする課題】
【０００５】
前記した金融業の流通業化のビジネスモデルに問題となるのが、金融商品の小売側の銀行である地域金融機関にとっての最大の武器である地域の顧客情報が、商品を管理する為に必要なパラメータとなっており、金融商品の製造側の銀行へと顧客情報が渡されることである。また、顧客情報を製造側の銀行へ渡さない様にしたとしても、顧客情報から作成されるマーケティングデータが無ければ、製造側の銀行では、金融商品の小売側の銀行に提供する商品の開発ができない。
【０００６】
本発明の目的は上記問題を解決し、銀行商品小売システムの顧客情報を銀行商品製造システムに対して秘匿しつつ、銀行商品製造システムでの金融商品の契約及び取引管理並びに銀行商品製造システムへのマーケティングデータの提供を行う仲介システムを実現し、金融業の流通業化のビジネスモデルを実現することが可能な技術を提供することにある。
【課題を解決するための手段】
【０００７】
本発明は、金融商品を提供する銀行商品製造システムと前記金融商品の販売を行う銀行商品小売システムとの間の処理を仲介する金融商品仲介システムであって、金融商品を販売した銀行の銀行情報及び顧客の顧客情報識別子を識別するファイナンストレードＩＤを用いて、銀行商品小売システムと銀行商品製造システムとの間の処理を仲介するものである。
【０００８】
本発明によれば、前記目的は、金融商品の小売側の銀行システムにおいて顧客情報を管理し、金融商品の製造側の銀行システムにおいて金融商品の契約情報及び取引情報を管理し、金融商品の小売側の銀行システムと金融商品の製造側の銀行システムとをネットワークを介して仲介システムであるファイナンストレードサーバと接続し、そのファイナンストレードサーバで顧客情報と契約情報または取引情報を紐付ける情報処理と紐付け結果のデータベースへの保存を実施することで達成される。
【０００９】
また、前記目的は、予め金融商品の製造側の銀行にある分析ロジック端末と、マーケティングデータ作成に必要な金融商品の製造側の分析ロジック情報を保存するファイナンストレードサーバとをネットワークを介して接続し、分析ロジック端末から送信される分析ロジック情報をファイナンストレードサーバに保存することで達成される。
【００１０】
また、前記目的は、金融商品の小売側の銀行システムから送信されてくる顧客情報と金融商品の製造側の銀行システムから送信されてくる契約情報及び取引情報とを紐付けたデータをファイナンストレードサーバのデータベースから読み込み、上記分析ロジック情報を用いて、顧客情報と契約情報または取引情報においてマッチング処理やサマリー処理を行ってマーケティングデータを作成し、このマーケティングデータをファイナンストレードサーバから金融商品の製造側の銀行システムへネットワークを介して送信することで達成される。
【００１１】
また、前記目的は、金融商品の製造側の銀行システムにおいて、上記マーケティングデータを用いて、金融商品の製造側の銀行商品開発担当者がマーケティングデータを分析し、分析した結果のデータであるマーケティングデータ分析結果を用いて、商品開発担当者が商品開発を行い、マーケティングデータ分析結果と開発した商品の情報をネットワークを介してファイナンストレードサーバに送信し、ファイナンストレードサーバにおいて、マーケティングデータに採番してある、マーケティングデータＩＤと呼ばれる銀行とマーケティングデータの紐付けを行うキーからマーケティングデータ分析結果と商品情報とを送信する銀行を割り出し、マーケティングデータ分析結果と商品情報をその銀行に送信することで達成される。
【発明の効果】
【００１２】
本発明によれば、銀行商品小売システムの顧客情報を銀行商品製造システムに対して秘匿しつつ、銀行商品製造システムでの金融商品の契約及び取引管理並びに銀行商品製造システムへのマーケティングデータの提供を行う仲介システムを実現し、金融業の流通業化のビジネスモデルを実現することが可能である。
【発明を実施するための最良の形態】
【００１３】
以下に金融商品を提供する銀行商品製造システムと前記金融商品の販売を行う銀行商品小売システムとの間の処理を仲介する一実施形態の金融商品仲介方法について説明する。
【００１４】
図１は本実施形態の金融商品仲介システムのシステム構成を示す図である。図１では、本実施形態による銀行の顧客情報を秘匿しつつ金融商品の契約及び取引管理及びマーケティングデータの提供を可能としたシステムの構成を表している。
【００１５】
図１は、金融商品の小売側の銀行と金融商品の製造側の銀行とを仲介し、金融商品の小売側の銀行が持つ顧客情報を秘匿しつつ、金融商品の製造側の銀行で金融商品の契約、取引管理ができ、また金融商品の製造側の銀行での商品開発の為にマーケティングデータを取得可能にすることができることを目的とした各種システムであり、ファイナンストレードセンタ１００と銀行商品小売システム２００と銀行商品製造システム３００、ネットワーク４０１及び４０２を備えている。これらの装置はネットワーク４０１及び４０２を通じて、相互にデータを通信することができる。また、これらの装置の構成は、複数の装置を組み合わせて一つの装置として構成することも可能であり、または別々の装置として構成することも可能である。但し、どの様な装置構成であっても、装置間はそれぞれネットワーク４０１及び４０２を通じて相互にデータ通信が可能である。
【００１６】
図２は本実施形態のファイナンストレードサーバ１０１のハードウェア構成を示す図である。ファイナンストレードセンタ１００は、ファイナンストレードサーバ１０１を備えており、図２に示す様に、ファイナンストレードサーバ１０１は、中央処理装置（ＣＰＵ：Ｃｅｎｔｒａｌ Ｐｒｏｃｅｓｓｉｎｇ Ｕｎｉｔ）４０３と、主記憶装置４０４と、外部記憶装置４０５と、マウス４０６と、ＮＩＣ（ネットワークインタフェースカード）４０７と、モニタ４０８と、キーボード４０９と、これらを接続するシステムバス４１０とを備えている。
【００１７】
なお、図２に示す構成は、この発明を説明するに当たって説明のし易さを考慮した構成を示しており、ファイナンストレードサーバ１０１としては図２中の一部の構成を含まないものとしたり、他の部材を含むものとしたり、複数台で構成されるものとしたりしても良い。また、外部記憶装置４０５上には、ファイナンストレードＩＤ管理プログラム１０２、分析ロジック管理プログラム１０３、マーケティングデータ収集プログラム１０４、ファイナンストレードＩＤマッチングプログラム１０５、マーケティングデータサマリープログラム１０６、マーケティングデータＩＤ管理プログラム１０７、商品・マーケティングデータ分析結果配信プログラム１０８、銀行商品小売モジュール１０９、銀行商品製造モジュール１１０が格納され、ファイナンストレードサーバ１０１の主記憶装置４０４上で、ＣＰＵ４０３によって実行される。
【００１８】
ここで、本実施形態における装置では、プログラムはコンピュータ上で動作するプログラム、モジュールはネットワークを通して通信を行うプログラムを表すものとする。尚、これらのアプリケーションやモジュールは一例であり、これら以外のソフトウェアを用いても良い。また、ファイナンストレードサーバ１０１の磁気ディスク１１１による外部記憶装置４０５上には、分析ロジックテーブル１１２、顧客・ファイナンストレードＩＤ紐付けテーブル１１３、銀行・マーケティングデータ紐付けテーブル１１４が格納されている。上記の各ＤＢは前述のファイナンストレードサーバ１０１の主記憶装置４０４上で各プログラムのＣＰＵ４０３による実行によりアクセスされる。
【００１９】
本実施形態において、銀行商品小売システム２００は、一般的な銀行のシステム構築形態である注文管理のフロントシステム、契約、取引管理のバックシステム、バックシステムからデータを取得し分析等を行うミドルシステムで構成されるシステム形態ではなく、顧客からの注文管理を行うフロントシステムである銀行商品小売フロントシステム２０１と、チャネルＤＢ２０２、顧客ＤＢ２０３、その他一般的なフロントシステムに存在する装置を備えている。また銀行商品小売フロントシステム２０１は一般的な銀行のフロントシステムの装置として、またファイナンストレードサーバ１０１と通信・連携が取れる装置として機能することができ、データベースの検索やデータベースからデータを取得する為のＤＢ検索・取得プログラム２０４、様々なフロントシステムの処理結果をフロントシステムの画面に表示する為の結果表示プログラム２０５、ファイナンストレードサーバ１０１と通信を行う為のＦＴＳ通信モジュール２０６を備えている。
【００２０】
本実施形態において、銀行商品製造システム３００は、一般的な銀行のシステム構築形態である注文管理のフロントシステム、契約、取引管理のバックシステム、バックシステムからデータを取得し分析等を行うミドルシステムで構成されるシステム形態ではなく、バックシステムである銀行商品製造バックシステム３０１とミドルシステムである銀行商品製造ミドルシステム３０３と、分析ロジック端末３０６を備えている。また特に代表的なデータベースである、取引/契約ＤＢ３０２、商品ＤＢ３０４、マーケティングＤＢ３０５、その他一般的なフロントシステムに存在する装置を備えている。
【００２１】
また銀行商品製造バックシステム３０１は一般的な銀行のバックシステムの装置として機能でき、データベースの検索やデータベースからデータを取得、挿入する為のＤＢ操作プログラム３０７、新規に口座を開設し、データベースに登録を行う口座開設プログラム３０８、ファイナンストレードサーバ１０１と通信を行う為のＦＴＳ通信モジュール３０９を備えている。
【００２２】
銀行商品製造ミドルシステム３０３は、一般的なミドルシステムの装置として機能でき、データベースの検索やデータベースからデータを取得、挿入する為のＤＢ操作プログラム３１０、マーケティングデータを受け取り、銀行商品製造側において商品を開発する為にマーケティングデータを分析する為のマーケティングデータ分析プログラム３１１、ファイナンストレードサーバ１０１と通信を行う為のＦＴＳ通信モジュール３１２を備えている。
【００２３】
また、銀行商品製造バックシステム３０１及び銀行商品製造ミドルシステム３０３はファイナンストレードサーバと通信・連携が可能である。また、分析ロジック端末３０６はＰＣ等で良く、入力装置及び表示装置やＷｅｂブラウザを備えており、ネットワーク４０２を介してファイナンストレードサーバ１０１にアクセスし、分析ロジックに関するデータの送信及び受信を行う。
【００２４】
本実施形態の金融商品仲介システムにおいて、コンピュータを前記プログラムの処理部として機能させる為の各プログラムは、ＣＤ−ＲＯＭ等の記録媒体に記録され磁気ディスク等の外部記憶装置４０５に格納された後、主記憶装置４０４にロードされてＣＰＵ４０３により実行されるものとする。なお前記プログラムを記録する記録媒体はＣＤ−ＲＯＭ以外の他の記録媒体でも良い。また前記プログラムを当該記録媒体からコンピュータにインストールして使用しても良いし、ネットワークを通じて当該記録媒体にアクセスして前記プログラムを使用するものとしても良い。
【００２５】
次に、図１に示すシステム構成図での各種の処理動作について、図３〜図６−２に示すフローチャート及び図７〜図１２に示すＤＢの構成並びに図１３〜図１５に示す画面構成図を参照しながら説明する。
【００２６】
図３は本実施形態の金融商品契約処理の処理手順を示すフローチャートである。図３では、商品販売（契約）を行う金融商品小売側で、商品販売（契約）があった場合に、銀行商品小売システム２００、ファイナンストレードサーバ１０１、銀行商品製造システム３００が実行する契約処理の概要を表しており、この処理は、金融商品小売システムが商品販売（契約）を受付、ファイナンストレードサーバ１０１へ契約情報を送信し、顧客情報の秘匿の為にファイナンストレードサーバ１０１が銀行商品小売システム２００中の顧客情報と銀行商品製造システム３００の取引／契約情報との紐付けを行う為のＦＴＩＤ（ファイナンストレードＩＤ）を採番し、ＦＴＩＤと契約情報を送信し、口座を開設する処理である。
【００２７】
（１）まず、金融商品小売側で、銀行の顧客が金融商品を契約した場合、銀行商品小売フロントシステム２０１において契約処理を行う。前記契約処理の際に、顧客の契約情報中の顧客情報にあたる部分を、ＤＢ検索・取得プログラム２０４によって、顧客ＤＢ２０３に保存する（Ｓ１０２）。
【００２８】
図７は本実施形態の顧客ＤＢ２０３のデータ構成例を示す図である。ここで、図７の顧客ＤＢ２０３のデータ構成例を用いて、顧客ＤＢ２０３のデータ構成について説明する。
【００２９】
顧客ＤＢ２０３は、店番５０１、ＣＩＦ５０２、顧客氏名５０３、地区コード５０４、住所コード５０５、年齢５０６、家族構成５０７等の顧客情報を記述したレコードを格納する。ＣＩＦとはカスタマーインフォメーションファイルを意味するが、本願発明では、各銀行内で１顧客を一意に決定する為に設けられた番号を示すものとする。１店舗において１顧客を一意に決定する為には、店番及びＣＩＦの組み合わせを用い、１銀行において１顧客を一意に決定する為には、銀行番号（金融機関共同コード管理委員会が制定する金融機関に付与された４桁のコード）、店番及びＣＩＦの組み合わせを用いる。以下、このカスタマーインフォメーションファイルの番号をＣＩＦと略して説明を続ける。
【００３０】
店番５０１には、顧客が契約を行った店番データが格納され、ＣＩＦ５０２には銀行の店毎にシリアルで採番したＮｏが格納され、顧客氏名５０３には契約を行った顧客の氏名データが格納され、地区コード５０４には契約を行った店が扱う地区のデータが格納され、住所コード５０５には契約を行った顧客の住所をコード化したデータが格納され、年齢５０６には契約を行った顧客の年齢データが格納され、家族構成５０７には契約を行った顧客の家族数データが格納され、また他にも顧客に関するデータが顧客ＤＢ２０３には格納される。
【００３１】
（２）次に、銀行商品小売フロントシステム２０１は、契約を行った顧客が使用した、営業店窓口・ＡＴＭ（Automatic Teller Machine：現金自動預払機）等、様々な顧客との接点の情報であるチャネル情報が、顧客が使用したチャネルから発信されているかを判断し（Ｓ１０３）、チャネル情報が存在している場合（Ｓ１０３：ＹＥＳ）、そのチャネル情報をチャネルＤＢ２０２に保存する（Ｓ１０４）。
【００３２】
図８は本実施形態のチャネルＤＢ２０２のデータ構成例を示す図である。ここで、図８のチャネルＤＢ２０２のデータ構成例を用いて、チャネルＤＢ２０２のデータ構成について説明する。
【００３３】
チャネルＤＢ２０２は、店番６０１及びＣＩＦ６０２等の顧客に関する情報、日付６０３等の顧客がチャネルを利用して契約した日付の情報、チャネル種類６０４等のチャネルの種類、取引種類６０５等の契約した場合の取引の種類を記述したレコードを格納する。
【００３４】
店番６０１には顧客が契約を行った店番データが格納され、ＣＩＦ６０２には銀行の店毎にシリアルで採番したＮｏが格納され、店番６０１とＣＩＦ６０２の組み合わせで１人の顧客を一意に決定できる。そして、日付６０３には契約又は取引を行った際の日付データが格納され、チャネル種類６０４には、顧客が契約または取引を行った際の窓口、ＡＴＭ、ＩＢ（Internet Banking：インターネットバンキング）等のチャネル種類データが格納され、取引種類６０５には契約または取引を行った際の、定期口座開設、残高照会、引き落とし等の取引種類を識別するデータが格納され、また他にもチャネルに関するデータがチャネルＤＢ２０２に格納される。
【００３５】
（３）次に、チャネル情報が存在していない場合（Ｓ１０３：ＮＯ）、銀行商品小売フロントシステム２０１は、契約を取り付けた銀行を示す情報として、その金融商品を販売した銀行を示す銀行情報である銀行番号及び店番と、その金融商品を購入した顧客の顧客情報を識別する為の顧客情報識別子であるＣＩＦと、その契約の内容を示す契約情報とをＦＴＳ通信モジュール２０６によって、ファイナンストレードサーバ１０１にネットワーク４０１を介して送信する（Ｓ１０５）。
【００３６】
（４）次に、ファイナンストレードサーバ１０１は、銀行商品小売フロントシステム２０１から送信された銀行番号、店番、ＣＩＦ、契約情報を、銀行商品小売モジュール１０９によって受信し、ファイナンストレードＩＤ管理プログラム１０２によって、銀行番号、店番及びＣＩＦの組合せを識別する為の識別情報であるファイナンストレードＩＤを採番する。ファイナンストレードＩＤの採番の方法は、シリアル的でも良いし、その他の方法でも良い。また、盗聴、改ざん防止の為に暗号化技術を用いて、元の銀行番号、店番、ＣＩＦの組み合わせだけでなく、銀行番号、店番、ＣＩＦを変換しても良い（Ｓ１０６）。
【００３７】
（５）次に、ファイナンストレードサーバ１０１は、ファイナンストレードＩＤ管理プログラム１０２によって、前記ファイナンストレードＩＤと、銀行番号、店番及びＣＩＦとを顧客・ファイナンストレードＩＤ紐付けテーブル１１３に保存し、ファイナンストレードＩＤと、銀行番号、店番及びＣＩＦとの紐付けを行う。
【００３８】
図９は本実施形態の顧客・ファイナンストレードＩＤ紐付けテーブル１１３のデータ構成例を示す図である。ここで、図９の顧客・ファイナンストレードＩＤ紐付けテーブル１１３のデータ構成例を用いて、顧客・ファイナンストレードＩＤ紐付けテーブル１１３のデータ構成について説明する。
【００３９】
顧客・ファイナンストレードＩＤ紐付けテーブル１１３は、ファイナンストレードＩＤ７０１、銀行番号７０２、店番７０３、ＣＩＦ７０４、口座フラグ７０５を記述したレコードを格納する。ファイナンストレードＩＤ７０１には、銀行番号、店番、ＣＩＦを一つのデータと見なして採番したＩＤがデータとして格納されており、銀行番号７０２には、前記銀行商品小売フロントシステム２０１から情報の送信があった銀行の番号データが格納されており、店番７０３には、顧客が契約を行った店番データが格納され、ＣＩＦ７０４には銀行の店毎にシリアルで採番したＮｏが格納されており、口座フラグ７０５には、銀行商品製造バックシステム３０１において正常に口座が開設されたことを判別できるフラグデータが格納される。
【００４０】
ファイナンストレードサーバ１０１が顧客・ファイナンストレードＩＤ紐付けテーブル１１３を持つことによって、銀行商品小売システム２００から顧客情報を銀行商品製造システム３００に発信することなく、銀行商品小売側の銀行の商品管理を銀行商品製造側の銀行で行うことが可能となる。
【００４１】
（６）次にファイナンストレードサーバ１０１は、銀行商品製造モジュール１１０によって、前記ファイナンストレードＩＤと契約情報をネットワーク４０２を介し、銀行商品製造バックシステム３０１に送信し、その金融商品で用いられる銀行口座の開設を銀行商品製造バックシステム３０１に指示する（Ｓ１０８）。
【００４２】
（７）次に、銀行商品製造バックシステム３０１は、ファイナンストレードサーバ１０１より送信されたファイナンストレードＩＤと契約情報を受信し、口座開設プログラム３０８によって、ファイナンストレードＩＤをキーとして、契約情報に基づいた口座の開設を行う（Ｓ１０９）。ここでの口座開設の方法や情報処理は一般的な銀行のバックシステムの方法や情報処理であって良く、限定はないが、店番やＣＩＦではなくファイナンストレードＩＤ単位に口座管理が行える形態であるものとする。
【００４３】
（８）次に、銀行商品製造バックシステム３０１は、口座開設の処理が終了した時点で、ＦＴＳ通信モジュール３０９によって、ファイナンストレードサーバ１０１へ口座開設が完了したことを示す通知をネットワーク４０２を介して送信する（Ｓ１１０）。
【００４４】
（９）次に、ファイナンストレードサーバ１０１は、銀行商品製造バックシステム３０１から送信された口座開設通知を受信し、ファイナンストレードＩＤ管理プログラム１０２によって、該当のファイナンストレードＩＤのレコードに対して、口座開設が正常に行われたというフラグデータを顧客・ファイナンストレードＩＤ紐付けテーブル１１３の該当ファイナンストレードＩＤのレコードにおける口座フラグ７０５に格納する（Ｓ１１１）。
【００４５】
（１０）次に、ファイナンストレードサーバ１０１は、銀行商品小売モジュール１０９によって、口座開設通知をネットワーク４０１を介し、銀行商品小売フロントシステム２０１に送信し（Ｓ１１２）、銀行商品小売フロントシステム２０１は、結果表示プログラム２０５によって顧客に、または銀行員が顧客に口座が開設したことを通知する（Ｓ１１３）。ここで、口座開設を通知する処理は一般的な銀行のフロントシステムの処理であり限定されないものとする。
【００４６】
図４は本実施形態の各種取引処理の処理手順を示すフローチャートである。図４では、商品販売（契約）を行う金融商品小売側で、各種取引（出金、入金、残高処理等）が行われた場合に、銀行商品小売システム２００、ファイナンストレードサーバ１０１、銀行商品製造システム３００が実行する取引処理の概要を表しており、次に、これについて説明する。
【００４７】
この処理は、銀行商品小売システム２００が、顧客から取引要求があった場合に、取引要求した顧客のチャネル情報がチャネルＤＢ２０２中に存在しているかを確認し、存在している場合にはそのチャネル情報と共に取引情報や銀行番号等の情報を送信し、存在していない場合には取引情報や銀行番号等の情報のみを送信し、取引情報若しくはチャネル情報を受信したファイナンストレードサーバ１０１が顧客・ファイナンストレードＩＤ紐付けテーブル１１３から銀行番号等の情報と紐付くＦＴＩＤを取得し、ＦＴＩＤと取引情報またはチャネル情報を銀行商品製造システム３００へ送信し、受信した銀行商品製造システム３００が、ＦＴＩＤの口座または契約情報等の更新や追加を取引情報またはチャネル情報によって行い、更新や追加を行った口座情報を銀行商品小売システム２００において顧客に表示する処理である。
【００４８】
（１）まず銀行商品小売フロントシステム２０１は、顧客から取引要求の入力があった場合に、顧客ＤＢ２０３において取引を行う顧客の情報があるかを確認するため、ＤＢ検索・取得プログラム２０４によって、店番及びＣＩＦをキーに検索を行う。顧客からの店番及びＣＩＦの取得は、銀行の通帳によって行っても良いし、銀行のカードによって行っても良く、各金融商品小売側のフロントシステムに依存する形態である（Ｓ２０１）。
【００４９】
（２）次に、銀行商品小売フロントシステム２０１は、チャネル端末より発信された情報中にチャネル情報があるかを確認し、チャネル情報があると判定した場合（Ｓ２０２：ＹＥＳ）、ＤＢ検索・取得プログラム２０４によって、チャネルＤＢ２０２にチャネル情報を格納する（Ｓ２０３）。
【００５０】
（３）そして、銀行商品小売フロントシステム２０１は、取引情報中にチャネル情報があるかを確認してチャネル情報が無いと判定した場合（Ｓ２０２：ＮＯ）や、前記チャネルＤＢ２０２にチャネル情報を格納した時点で、銀行番号、店番、ＣＩＦ、取引情報をＦＴＳ通信モジュール２０６によって、ネットワーク４０１を介し、ファイナンストレードサーバ１０１に送信する（Ｓ２０４）。
【００５１】
（４）次に、ファイナンストレードサーバ１０１は、銀行商品小売フロントシステム２０１が送信した銀行番号、店番、ＣＩＦ、取引情報を銀行商品小売モジュール１０９によって受信し、ファイナンストレードＩＤ管理プログラム１０２によって、銀行番号、店番、ＣＩＦをキーとして、顧客・ファイナンストレードＩＤ紐付けテーブル１１３からファイナンストレードＩＤ７０１を取得する（Ｓ２０５）。
【００５２】
（５）次に、ファイナンストレードサーバ１０１は、銀行商品製造モジュール１１０によって、ネットワーク４０２を介し、前記ファイナンストレードＩＤと取引情報を銀行商品製造システム３００の銀行商品製造バックシステム３０１に送信する（Ｓ２０６）。
【００５３】
（６）次に、銀行商品製造バックシステム３０１は、ファイナンストレードサーバ１０１より送信されたファイナンストレードＩＤと取引情報を受信し、ＤＢ操作プログラム３０７によって、ファイナンストレードＩＤをキーとして銀行商品製造バックシステム３０１の取引/契約ＤＢ３０２を検索し、該当口座や明細があるかを確認する（Ｓ２０７）。ここで、銀行商品製造バックシステム３０１、取引/契約ＤＢ３０２は、銀行における一般的なバックシステムと、バックシステムに存在するデータベースであり、ファイナンストレードＩＤで情報が管理されていること以外、一般的なものとの差異はないものとする。
【００５４】
（７）そして銀行商品製造バックシステム３０１は、前記の該当口座や明細があるかの確認において該当の口座や明細が取引/契約ＤＢ３０２に存在しないことが判明した場合（Ｓ２０７：ＮＯ）、ファイナンストレードサーバ１０１に、ＦＴＳ通信モジュール３０９によって、ネットワーク４０２を介し、該当の口座や明細が無いことを通知する（Ｓ２０７、Ｓ２０８）。ファイナンストレードサーバ１０１は、該当の口座や明細が無いことの通知を受け、銀行商品小売モジュール１０９によって、ネットワーク４０１を介し、銀行商品小売フロントシステム２０１に該当の口座や明細が無いことを通知する（Ｓ２０９）。次に、銀行商品小売フロントシステム２０１が該当の口座や明細が無いことを顧客に通知し、取引ができないことを伝える（Ｓ２１０）。
【００５５】
（８）また銀行商品製造バックシステム３０１は、前記の該当口座や明細があるかの確認（Ｓ２０７）において該当の口座や明細が取引/契約ＤＢ３０２に存在することが判明した場合（Ｓ２０７：ＹＥＳ）、取引情報が口座や取引明細の参照だけを行う参照系の指示か、他の指示かをファイナンストレードサーバから送信された取引情報から判断する（Ｓ２１１）。
【００５６】
（９）次に、銀行商品製造バックシステム３０１は、ファイナンストレードサーバから送信された取引情報から、前記参照系の指示と判断した場合（Ｓ２１１：ＹＥＳ）、ファイナンストレードＩＤ及び取引情報が示す口座情報を取引/契約ＤＢ３０２より検索・抽出し、ファイナンストレードＩＤと口座情報をＦＴＳ通信モジュールによって、ネットワーク４０２を介し、ファイナンストレードサーバ１０１に送信する（Ｓ２１１、Ｓ２１２）。
【００５７】
（１０）また銀行商品製造バックシステム３０１は、前記参照系の指示でないと判断した場合（Ｓ２１１：ＮＯ）、ＤＢ操作プログラム３０７によって、ファイナンストレードＩＤと取引情報の口座番号や明細番号をキーとして、取引/契約ＤＢ３０２のデータの更新・追加を行う（Ｓ２１３）。
【００５８】
（１１）次に、銀行商品製造バックシステム３０１は、ＤＢ操作プログラム３０７によって、更新・追加を行った取引/契約ＤＢ３０２中の口座や明細データを抽出し、口座情報としてファイナンストレードＩＤと共にネットワーク４０２を介し、ファイナンストレードサーバ１０１に送信する（Ｓ２１４）。
【００５９】
（１２）次に、ファイナンストレードサーバ１０１は、銀行商品製造バックシステム３０１から口座情報及びファイナンストレードＩＤを受信し、ファイナンストレードＩＤ管理プログラム１０２によって、ファイナンストレードＩＤをキーとして、顧客・ファイナンストレードＩＤ紐付けテーブルより銀行番号、店番、ＣＩＦを検索・抽出する（Ｓ２１５）。
【００６０】
（１３）次に、ファイナンストレードサーバ１０１は、銀行商品小売モジュール１０９によって、抽出した銀行番号の銀行の銀行商品小売フロントシステム２０１へ、ネットワーク４０１を介して、前記抽出した店番及びＣＩＦと、前記受信した口座情報を送信する（Ｓ２１６）。
【００６１】
（１４）次に、銀行商品小売フロントシステム２０１は、結果表示プログラム２０５によって、口座情報を表示する（Ｓ２１７）。口座情報の表示の方法や情報処理は、銀行におけるフロントシステムの方法や情報処理で良いものとする。
【００６２】
図５は本実施形態の分析ロジックの登録処理及び参照処理の処理手順を示すフローチャートである。図５では、商品を開発・提供する金融商品製造側で、分析ロジックの登録や参照が行われた場合に、銀行商品製造システム３００、ファイナンストレードサーバ１０１が実行する分析ロジックの登録処理及び参照処理の概要を表しており、次に、これについて説明する。
【００６３】
金融商品製造側において金融商品の開発を行う場合、金融商品を提供する銀行のマーケティングデータを分析して商品を開発する。しかし、本実施形態では顧客情報を秘匿しているため、金融商品製造側においてマーケティングデータの作成を実施することはできない。そこで、予めファイナンストレードサーバ１０１上の分析ロジックテーブル１１２に金融商品側のマーケティングデータを作成する為のサマリーキーや出力属性等のマーケティングデータを作成する指標である分析ロジック情報を登録し、ファイナンストレードサーバ１０１が分析ロジック情報によってマーケティングデータを作成し、金融商品製造側にマーケティングデータを提供する処理を行う。
【００６４】
（１）まず分析ロジック端末３０６が分析ロジックの新規追加登録であるかという表示を出力装置に出力し、行員から入力を待つ。分析ロジック端末３０６が新規登録であるという入力を得た場合（Ｓ３０１：ＹＥＳ）、ロジック登録画面に遷移し、分析ロジック情報の行員からの入力を受け付ける（Ｓ３０２）。ここで、図１３、図１４を用いて、画面構成の説明を行う。
【００６５】
図１３は本実施形態の分析ロジック情報の新規登録か更新かを選択する画面構成の例を示す図である。Ｓ３０１の画面構成は、新規登録か更新・参照の選択を受ける機能を有し、ファイナンストレードサーバ１０１が、各金融商品製造側のマーケティングデータを作成する為の基準であるサマリーキー８０３、８０４や出力属性８０５、８０６、８０７を分析ロジックテーブル１１２に保有している分析ロジック情報の新規登録ボタン１１０１、分析ロジック情報の更新・参照ボタン１１０２を分析ロジック端末３０６の画面に表示することで、Ｓ３０１を実現する。
【００６６】
図１４は本実施形態の分析ロジック情報の新規登録を行う画面構成の例を示す図である。Ｓ３０２の画面構成は、分析ロジック情報中のサマリーキー８０３、８０４と呼ばれる、データを集約する為の基準のデータであるキーを登録する為のテキストボックスまたは、プルダウン表示、または以外の方法でも良いが、サマリーキーを複数指定できる入力形式を持つフォーム１１０３、分析ロジック情報中の出力属性８０５、８０６、８０７を登録する為のテキストボックスまたは、プルダウン表示、またはそれ以外の方法でも良いが、サマリーキーを複数指定できる入力形式を持つフォーム１１０４、分析ロジック情報の決定と送信操作を行う登録ボタン１１０５を備えＳ３０２を実現する。
【００６７】
（２）次に、分析ロジック端末３０６がファイナンストレードサーバ１０１へ、ネットワーク４０２を介し、分析ロジック情報と銀行番号を送信する（Ｓ３０３）。
【００６８】
（３）次に、ファイナンストレードサーバ１０１は、分析ロジック端末３０６が送信した分析ロジック情報を受信し、分析ロジック管理プログラム１０３によって、分析ロジックテーブル１１２へ分析ロジック情報と銀行番号を格納する（Ｓ３０４）。
【００６９】
図１０は本実施形態の分析ロジックテーブル１１２のデータ構成例を示す図である。ここで、図１０の分析ロジックテーブル１１２のデータ構成例を用いて、分析ロジックテーブル１１２と分析ロジック情報のデータ構成について説明する。
【００７０】
分析ロジックテーブル１１２は、銀行番号８０１、分析ＮＯ８０２、サマリーキー８０３及び８０４、出力属性８０５〜８０７等の複数のデータ項目を格納し、サマリーキーは、図１０の記述したレコードよりも多くても良いし、出力属性は図１０に記述したレコードよりも多くても良い。分析ロジックテーブル１１２には、分析ロジックを登録した銀行の銀行番号データが格納され、分析ＮＯ８０２には、分析ロジック情報を一つの銀行に複数持たせる為のシリアルキーデータが格納され、サマリーキーには、ファイナンストレードサーバ１０１がサマリー処理を行う場合のサマリーキーデータが格納され、出力項目には、ファイナンストレードサーバ１０１がマーケティングデータを作成する際のマーケティングデータの出力項目を示したデータが格納される。
【００７１】
（４）次に、分析ロジック端末３０６は、分析ロジックの新規追加登録であるかという表示を出力装置へ出力し、行員からの返答を待つ。分析ロジック端末３０６への入力が新規登録であるという入力でなかった場合、ロジック参照、更新画面に遷移し、分析ロジック情報の要求及び銀行番号をネットワーク４０２を介し、ファイナンストレードサーバ１０１へ送信する（Ｓ３０５）。
【００７２】
（５）次に、ファイナンストレードサーバ１０１は、分析ロジック端末３０６から送信された分析ロジック情報の要求指示を受信し、分析ロジック管理プログラム１０３によって、分析ロジックテーブル１１２から銀行番号をキーに分析ロジック情報を検索・抽出する（Ｓ３０６）。
【００７３】
（６）次に、ファイナンストレードサーバ１０１は、銀行商品製造モジュール１１０によって、前記検索・抽出した分析ロジック情報をネットワーク４０１を介し、分析ロジック端末３０６へ送信する（Ｓ３０７）。
【００７４】
（７）次に、分析ロジック端末３０６は、ファイナンストレードサーバ１０１から送信された前記分析ロジック情報の指示情報を受け付ける（Ｓ３０８）。
【００７５】
（８）次に、分析ロジック端末３０６は、行員によって入力された分析ロジック情報の更新を受け付ける（Ｓ３０９）。ここで、図１５を用いて、画面構成の説明を行う。
【００７６】
図１５は本実施形態の分析ロジック情報の更新・参照を行う画面構成の例を示す図である。Ｓ３０８、Ｓ３０９は、分析ロジック情報の表示、更新を行うステップであり、分析ＮＯ１１１９、現在の分析ＮＯに対応する、サマリーキーを表示するサマリーキー表示部１１０６〜１１０８、現在の分析ＮＯに対応する、取得属性を表示する取得属性を表示数する取得属性表示部１１１２〜１１１４、サマリーキー表示部１１０６〜１１０８の分析ロジック情報を更新するサマリーキー更新部１１０９〜１１１１、取得属性表示部１１１２〜１１１４の分析ロジック情報を更新する取得属性更新部１１１５〜１１１７、分析ロジック情報の更新、送信操作を行う更新ボタン１１１８を表示してＳ３０８、Ｓ３０９を実現する。サマリーキー表示部、取得属性表示部、サマリーキー更新部、取得属性更新部は本実施形態では３つずつ表記しているが、更に増加させても良い。
【００７７】
（９）次に、分析ロジック端末３０６は、前記更新された分析ロジック情報と銀行番号をネットワーク４０２を介し、ファイナンストレードサーバ１０１へ送信する（Ｓ３１０）。
【００７８】
（１０）次に、ファイナンストレードサーバ１０１は、分析ロジック端末３０６から送信された分析ロジック情報を受信し、分析ロジック管理プログラム１０３によって、分析ロジックテーブル１１２へ銀行番号及び分析ＮＯをキーに更新内容を格納して更新をかける（Ｓ３１１）。
【００７９】
図６−１及び図６−２は本実施形態のマーケティングデータ作成、商品開発処理の処理手順を示すフローチャートである。図６−１及び図６−２ではファイナンストレードセンタ１００で、マーケティングデータを作成し、金融商品製造側へ送信し、マーケティングデータの分析結果を算出し、マーケティングデータの分析結果を用いて商品開発を行った商品の商品情報等をファイナンストレードセンタ１００に送信し、各金融商品小売側へ通知する場合に、銀行商品製造システム３００、ファイナンストレードサーバ１０１が実行するマーケティングデータ作成、商品開発処理の概要を表しており、次に、これについて説明する。
【００８０】
この処理は、ファイナンストレードサーバ１０１が銀行商品小売システム２００上の顧客情報と銀行商品製造システム３００の取引／契約情報を顧客・ファイナンストレードＩＤ紐付けテーブル１１３の顧客情報とＦＴＩＤの紐付けデータを用いて紐付けし、サマリーキーによってサマリーを行いマーケティングデータを作成し、金融商品製造側のシステムである銀行商品製造ミドルシステム３０３に送信する処理である。また、銀行商品製造ミドルシステム３０３にてマーケティングデータを分析した結果である適用セグメントや、適用チャネル等の情報と共に開発された商品情報を金融商品小売側に送信する処理である。
【００８１】
（１）まず、ファイナンストレードサーバ１０１は、マーケティングデータ収集プログラム１０４によって、マーケティングデータ作成の為の情報送信願いの通知を、銀行商品小売モジュール１０９を用いて、ネットワーク４０１を介し、銀行商品小売フロントシステム２０１に送信する（Ｓ４０１）。
【００８２】
（２）次に、銀行商品小売フロントシステム２０１は、ファイナンストレードサーバ１０１からマーケティングデータ作成の為の情報送信願いの通知を受け、ＤＢ検索・取得プログラム２０４によって顧客ＤＢ２０３及びチャネルＤＢ２０２から、顧客情報及びチャネル情報を取得する。
【００８３】
（３）次に、銀行商品小売フロントシステム２０１は、ＦＴＳ通信モジュール２０６によって前記顧客情報及びチャネル情報を、ネットワーク４０１を介してファイナンストレードサーバ１０１へと送信する（Ｓ４０３）。
【００８４】
（４）次に、ファイナンストレードサーバ１０１は、顧客情報を取得できたかどうかの判定を行い、取得できなかった場合には、Ｓ４０１の処理からやり直し、顧客情報が取得できた場合には、マーケティングデータ作成の為の情報送信願いの通知を、銀行商品製造モジュール１１０を用いて、ネットワーク４０１を介し、銀行商品製造バックシステム３０１に送信し、Ｓ４０５に処理を移す（Ｓ４０４）。
【００８５】
（５）次に、銀行商品製造バックシステム３０１は、ファイナンストレードサーバ１０１からマーケティングデータ作成の為の情報送信願いの通知を受け、取引/契約ＤＢ３０２から口座情報及び取引情報を抽出する（Ｓ４０５）。
【００８６】
（６）次に、銀行商品製造バックシステム３０１は、ＦＴＳ通信モジュール３０９によって、前記口座情報及び取引情報をネットワーク４０２を介し、ファイナンストレードサーバ１０１へと送信する（Ｓ４０６）。
【００８７】
（７）次に、ファイナンストレードサーバ１０１は、前記口座情報及び取引情報を取得できたかどうかの判定を行い、取得できなかった場合には、Ｓ４０５の処理からやり直し、顧客情報が取得できた場合、Ｓ４０８に処理を移す（Ｓ４０７）。
【００８８】
（８）次に、ファイナンストレードサーバ１０１は、ファイナンストレードＩＤマッチングプログラム１０５によって、前記銀行商品小売フロントシステム２０１より受信した顧客情報及びチャネル情報と、前記銀行商品製造バックシステム３０１より受信した口座情報及び取引情報とのマッチング処理を、顧客・ファイナンストレードＩＤ紐付けテーブル１１３の銀行番号、店番、ＣＩＦとファイナンストレードＩＤとの紐付けを用いて行う（Ｓ４０８）。
【００８９】
（９）次に、ファイナンストレードサーバ１０１は、分析ロジック管理プログラム１０３によって、分析ロジックテーブル１１２より分析ロジック情報を抽出する（Ｓ４０９）。
【００９０】
（１０）次に、ファイナンストレードサーバ１０１は、マーケティングデータサマリープログラム１０６によって、前記分析ロジック情報を用いて、銀行番号をキーとして金融商品製造側毎にマーケティングデータ作成する。マーケティングデータの作成方法は、分析ロジック情報のサマリーキー８０３及び８０４等のサマリーキーデータをサマリーキーとして、前記マッチング処理を行った情報をサマリーし、出力属性８０５〜８０７等の属性だけを切り出し、マーケティングデータを作成する（Ｓ４１０）。ここで、サマリーの方法、マッチングの方法、または分析ロジック情報のマーケティングデータを作成する方法については本実施形態以外の方法をとってもかまわない。
【００９１】
（１１）次に、ファイナンストレードサーバ１０１は、マーケティングデータＩＤ管理プログラム１０７によって、前記作成されたマーケティングデータに対し、マーケティングデータのシリアルＩＤであるマーケティングデータＩＤを採番する（Ｓ４１１）。
【００９２】
（１２）次に、ファイナンストレードサーバ１０１は、マーケティングデータＩＤ管理プログラム１０７によって、前記マーケティングデータＩＤと、マーケティングデータ作成に使用した分析ロジック情報の銀行番号とを紐付ける為に、マーケティングデータＩＤと銀行番号とを銀行・マーケティングデータ紐付けテーブル１１４に格納する（Ｓ４１２）。
【００９３】
図１１は本実施形態の銀行・マーケティングデータ紐付けテーブル１１４のデータ構成例を示す図である。ここで、図１１の銀行・マーケティングデータ紐付けテーブル１１４のデータ構成例を用いて、銀行・マーケティングデータ紐付けテーブル１１４のデータ構成について説明する。
【００９４】
銀行・マーケティングデータ紐付けテーブル１１４は、マーケティングデータＩＤ９０１及び銀行番号９０２の複数のレコードを格納する。マーケティングデータＩＤ９０１には、マーケティングデータのシリアルＩＤであるＩＤデータを格納し、銀行番号９０２には、マーケティングデータの作成に使用した顧客情報の銀行番号が格納される。
【００９５】
（１３）次に、ファイナンストレードサーバ１０１は、銀行商品製造モジュール１１０によって、前記マーケティングデータＩＤとマーケティングデータを、ネットワーク４０２を介し、前記分析ロジック情報に対応する銀行番号の金融商品製造側の銀行商品製造ミドルシステム３０３へと送信する（Ｓ４１３）。
【００９６】
（１４）次に、銀行商品製造ミドルシステム３０３は、ファイナンストレードサーバ１０１から送信されたマーケティングデータＩＤとマーケティングデータを受信し、マーケティングデータＩＤとマーケティングデータをマーケティングＤＢ３０５へ格納する（Ｓ４１４）。ここで、銀行商品製造ミドルシステム３０３とマーケティングＤＢ３０５は、銀行における一般的なミドルシステムとデータベースであって、マーケティングデータを、マーケティングデータＩＤをキーとして管理していること以外、どの様な方法や情報処理であっても構わない。
【００９７】
（１５）次に、銀行商品製造ミドルシステム３０３は、ＤＢ操作プログラム３１０によって、マーケティングＤＢ３０５のマーケティングデータを検索・抽出し、マーケティングデータを出力し、行員の入力を受け付けてマーケティングデータ分析プログラム３１１によってマーケティングデータを分析し、金融商品の開発が行われる（Ｓ４１５）。
【００９８】
（１６）次に、銀行商品製造ミドルシステム３０３は、ＤＢ操作プログラム３１０によって、行員が開発した金融商品の商品情報、前記マーケティングデータを分析した結果であるマーケティングデータ分析結果を商品ＤＢ３０４に格納する（Ｓ４１６）。
【００９９】
図１２は本実施形態の商品ＤＢ３０４のデータ構成例を示す図である。ここで、図１２の商品ＤＢ３０４のデータ構成例を用いて、商品ＤＢ３０４、マーケティング分析結果のデータ構成について説明する。
【０１００】
商品ＤＢ３０４は、商品コード１００１、ＭＤＩＤ（マーケティングデータＩＤ）１００２、マーケティングデータ分析結果１００３及び１００４、商品属性１００５〜１００７等の複数のレコードを格納しており、マーケティングデータ分析結果については、前記開発された金融商品の売り込み先等をマーケティングデータの分析から得たものであり、セグメント、チャネル、タイミング等があり、またそれ以外であったとしても良い。また、商品コード１００１、商品属性であるが、一般的に銀行が管理している商品の属性であって良く、本実施形態に限定されないものとする。
【０１０１】
（１７）次に、銀行商品製造ミドルシステム３０３は、マーケティングデータＩＤをキーに開発した金融商品の商品情報、マーケティングデータ分析結果を抽出し、ＦＴＳ通信モジュール３１２によって、ネットワーク４０２を介し、ファイナンストレードサーバ１０１へと送信する（Ｓ４１７）。
【０１０２】
（１８）次に、ファイナンストレードサーバ１０１は、銀行商品製造ミドルシステム３０３から送信された前記マーケティングデータＩＤ、商品情報、マーケティングデータ分析結果を受信し、マーケティングデータＩＤ管理プログラム１０７によって、銀行・マーケティングデータ紐付けテーブル１１４からマーケティングデータＩＤをキーに銀行番号を検索・抽出し、前記銀行番号を取得する（Ｓ４１８）。
【０１０３】
（１９）次に、ファイナンストレードサーバ１０１は、商品・マーケティングデータ分析結果配信プログラム１０８によって、マーケティングデータを作成した際に使用した顧客情報を提供した銀行以外に商品情報中の商品を提供しないことを指定した特定銀行指定情報を抽出し、前記取得した銀行番号の銀行が特定銀行指定の銀行であれば、前記銀行・マーケティングデータ紐付けテーブル１１４からマーケティングデータＩＤをキーに銀行番号を検索・抽出した銀行番号の銀行へと商品情報をネットワーク４０１を介し、送信する（Ｓ４１９、Ｓ４２０）。
【０１０４】
（２０）また、ファイナンストレードサーバ１０１は、商品・マーケティングデータ分析結果配信プログラム１０８によって商品情報より特定銀行指定情報を抽出した結果、前記取得した銀行番号の銀行が特定銀行指定でないと判定した場合には、マーケティングデータＩＤと紐付く銀行の地域コード等の地域情報を取得して、同地域の銀行番号を取得し、その取得した銀行番号の銀行へと商品情報及びマーケティング分析結果をネットワーク４０１を介して送信する（Ｓ４１９、Ｓ４２１、Ｓ４２０）。
【０１０５】
以上説明した様に本実施形態の金融商品仲介方法によれば、金融商品を販売した銀行の銀行情報及び顧客の顧客情報識別子を識別するファイナンストレードＩＤを用いて、銀行商品小売システムと銀行商品製造システムとの間の処理を仲介するので、銀行商品小売システムの顧客情報を銀行商品製造システムに対して秘匿しつつ、銀行商品製造システムでの金融商品の契約及び取引管理並びに銀行商品製造システムへのマーケティングデータの提供を行う仲介システムを実現し、金融業の流通業化のビジネスモデルを実現することが可能である。
【図面の簡単な説明】
【０１０６】
【図１】本実施形態の金融商品仲介システムのシステム構成を示す図である。
【図２】本実施形態のファイナンストレードサーバ１０１のハードウェア構成を示す図である。
【図３】本実施形態の金融商品契約処理の処理手順を示すフローチャートである。
【図４】本実施形態の各種取引処理の処理手順を示すフローチャートである。
【図５】本実施形態の分析ロジックの登録処理及び参照処理の処理手順を示すフローチャートである。
【図６−１】本実施形態のマーケティングデータ作成、商品開発処理の処理手順を示すフローチャートである。
【図６−２】図６−１の続きを示すフローチャートである。
【図７】本実施形態の顧客ＤＢ２０３のデータ構成例を示す図である。
【図８】本実施形態のチャネルＤＢ２０２のデータ構成例を示す図である。
【図９】本実施形態の顧客・ファイナンストレードＩＤ紐付けテーブル１１３のデータ構成例を示す図である。
【図１０】本実施形態の分析ロジックテーブル１１２のデータ構成例を示す図である。
【図１１】本実施形態の銀行・マーケティングデータ紐付けテーブル１１４のデータ構成例を示す図である。
【図１２】本実施形態の商品ＤＢ３０４のデータ構成例を示す図である。
【図１３】本実施形態の分析ロジック情報の新規登録か更新かを選択する画面構成の例を示す図である。
【図１４】本実施形態の分析ロジック情報の新規登録を行う画面構成の例を示す図である。
【図１５】本実施形態の分析ロジック情報の更新・参照を行う画面構成の例を示す図である。
【符号の説明】
【０１０７】
１００…ファイナンストレードセンタ、１０１…ファイナンストレードサーバ、１０２…ファイナンストレードＩＤ管理プログラム、１０３…分析ロジック管理プログラム、１０４…マーケティングデータ収集プログラム、１０５…ファイナンストレードＩＤマッチングプログラム、１０６…マーケティングデータサマリープログラム、１０７…マーケティングデータＩＤ管理プログラム、１０８…商品・マーケティングデータ分析結果配信プログラム、１０９…銀行商品小売モジュール、１１０…銀行商品製造モジュール、１１１…磁気ディスク、１１２…分析ロジックテーブル、１１３…顧客・ファイナンストレードＩＤ紐付けテーブル、１１４…銀行・マーケティングデータ紐付けテーブル、２００…銀行商品小売システム、２０１…銀行商品小売フロントシステム、２０２…チャネルＤＢ、２０３…顧客ＤＢ、２０４…ＤＢ検索・取得プログラム、２０５…結果表示プログラム、２０６…ＦＴＳ通信モジュール、３００…銀行商品製造システム、３０１…銀行商品製造バックシステム、３０２…取引/契約ＤＢ、３０３…銀行商品製造ミドルシステム、３０４…商品ＤＢ、３０５…マーケティングＤＢ、３０６…分析ロジック端末、３０７…ＤＢ操作プログラム、３０８…口座開設プログラム、３０９…ＦＴＳ通信モジュール、３１０…ＤＢ操作プログラム、３１１…マーケティングデータ分析プログラム、３１２…ＦＴＳ通信モジュール、４０１及び４０２…ネットワーク、４０３…ＣＰＵ、４０４…主記憶装置、４０５…外部記憶装置、４０６…マウス、４０７…ＮＩＣ、４０８…モニタ、４０９…キーボード、４１０…システムバス、５０１…店番、５０２…ＣＩＦ、５０３…顧客氏名、５０４…地区コード、５０５…住所コード、５０６…年齢、５０７…家族構成、６０１…店番、６０２…ＣＩＦ、６０３…日付、６０４…チャネル種類、６０５…取引種類、７０１…ファイナンストレードＩＤ、７０２…銀行番号、７０３…店番、７０４…ＣＩＦ、７０５…口座フラグ、８０１…銀行番号、８０２…分析ＮＯ、８０３及び８０４…サマリーキー、８０５〜８０７…出力属性、９０１…マーケティングデータＩＤ、９０２…銀行番号、１００１…商品コード、１００２…ＭＤＩＤ、１００３及び１００４…マーケティングデータ分析結果、１００５〜１００７…商品属性、１１０１…分析ロジック情報の新規登録ボタン、１１０２…分析ロジック情報の更新・参照ボタン、１１０３…フォーム、１１０４…フォーム、１１０５…登録ボタン、１１０６〜１１０８…サマリーキー表示部、１１０９〜１１１１…サマリーキー更新部、１１１２〜１１１４…取得属性表示部、１１１５〜１１１７…取得属性更新部、１１１８…更新ボタン、１１１９…分析ＮＯ。
【図１】
2007052538.tif 000003
【図２】
2007052538.tif 000004
【図３】
2007052538.tif 000005
【図４】
2007052538.tif 000006
【図５】
2007052538.tif 000007
【図６−１】
2007052538.tif 000008
【図６−２】
2007052538.tif 000009
【図７】
2007052538.tif 000010
【図８】
2007052538.tif 000011
【図９】
2007052538.tif 000012
【図１０】
2007052538.tif 000013
【図１１】
2007052538.tif 000014
【図１２】
2007052538.tif 000015
【図１３】
2007052538.tif 000016
【図１４】
2007052538.tif 000017
【図１５】
2007052538.tif 000018